(57)【要約】【課題】遊技盤の球の行き交う円形な遊技領域と可変表示器の画像を表示する方形な表示領域とが組み合わせられることによって形成される半月状の空間の活用を図る。【解決手段】半月状の画像表示不能な空間１９を覆う定形表示部材２０が遊技主体収納室９５における背壁の前面に着脱可能に取り付けられ、遊技機枠７１の中でも形状の大きな遊技主体収納構造体７８の一部を意匠的に造形しなくとも、定形表示部材２０が遊技盤１１０の機種を表現したキャラクタの造形として遊技者に機種を適切に知らせるというように、定形表示部材２０で空間１９を遊技の一要素として活用することができる。【選択図】図１
2006014814.tif 000002
【特許請求の範囲】
【請求項１】
パチンコ店の遊技設置構造体に取り付ける固定枠の前側に可動枠を片開き可能に取り付け、可動枠の前部における遊技主体収納室に球の行き交う光透過性の有る円形な遊技領域を有する遊技盤を格納し、遊技機枠の後部に電気的に表示形態の変えられる画像を方形な表示領域に表示する可変表示器を装着し、遊技機枠の前側から可変表示器の表示領域に表示された画像と遊技領域に行き交う球の動きとが見えるようにしたパチンコ機の遊技機枠において、円形な遊技領域と方形な表示領域とが前後で重なるように組み合わせられることによって、表示領域より外側に半月状の画像表示不能な空間が形成され、この半月状の画像表示不能な空間を覆う定形表示部材が、遊技主体収納室における背壁と遊技主体収納室に格納された遊技盤との間に配置されて遊技主体収納室における背壁の前面に着脱可能に取り付けられたことを特徴とするパチンコ機の遊技機枠。
【請求項２】
半月状の画像表示不能な空間が遊技盤の発射通路周辺の上部に形成されたことを特徴とする請求項１記載のパチンコ機の遊技機枠。
【請求項３】
定形表示部材が、遊技主体収納室における背壁の前面に取り付けられる表示基体と、表示基体の前面に着脱可能に取り付けられる造形体とを備えたことを特徴とする請求項１記載のパチンコ機の遊技機枠。
【発明の詳細な説明】
【技術分野】
【０００１】
本発明は、遊技盤の球の行き交う円形な遊技領域と可変表示器の画像を表示する方形な表示領域とが組み合わせられることによって形成される半月状の空間の活用が容易なパチンコ機の遊技機枠に関する。
【背景技術】
【０００２】
パチンコ機には、遊技機枠の前部に光透過性の有る遊技盤を格納し、遊技機枠の後部に映写装置を装着し、映写装置における投影光源が光を電気的に画像の表示されている液晶表示器に照射し、その液晶表示器を通過した投影光が投影レンズで拡大され、その拡大された投影光が反射鏡で前側に反射して方形な表示領域としてのスクリーンに上記液晶表示器で表示された画像を拡大して映写し、遊技機枠の前側から遊技者がスクリーンに映し出された画像と遊技領域に行き交う球の動きとを見えるようにしたものが知られている。しかしながら、遊技盤による遊技領域が円形で、スクリーンによる表示領域が方形であるので、遊技領域と表示領域とが前後で重なるように組み合わせられた場合、表示領域より外側に半月状の画像表示不能な空間が形成される欠点がある。
【特許文献１】特開２００４−３３２５０号公報
【発明の開示】
【発明が解決しようとする課題】
【０００３】
発明が解決しようとする問題点は、画像を表示する表示領域より外側に半月状の画像表示不能な空間が形成されるという点である。
【課題を解決するための手段】
【０００４】
本発明に係るパチンコ機の遊技機枠は、パチンコ店の遊技設置構造体に取り付ける固定枠の前側に可動枠を片開き可能に取り付け、可動枠の前部における遊技主体収納室に球の行き交う光透過性の有る円形な遊技領域を有する遊技盤を格納し、遊技機枠の後部に電気的に表示形態の変えられる画像を方形な表示領域に表示する可変表示器を装着し、遊技機枠の前側から可変表示器の表示領域に表示された画像と遊技領域に行き交う球の動きとが見えるようにしたパチンコ機の遊技機枠において、円形な遊技領域と方形な表示領域とが前後で重なるように組み合わせられることによって、表示領域より外側に半月状の画像表示不能な空間が形成され、この半月状の画像表示不能な空間を覆う定形表示部材が、遊技主体収納室における背壁と遊技主体収納室に格納された遊技盤との間に配置されて遊技主体収納室における背壁の前面に着脱可能に取り付けられたことを最も主要な特徴とする。本発明に係るパチンコ機の遊技機枠にあたっては、半月状の画像表示不能な空間が遊技盤の発射通路周辺の上部に形成されたり、定形表示部材が遊技主体収納室における背壁の前面に取り付けられる表示基体と表示基体の前面に着脱可能に取り付けられる造形体とを備えたりすることも特徴とする。
【発明の効果】
【０００５】
本発明に係るパチンコ機の遊技機枠は、半月状の画像表示不能な空間を覆う定形表示部材が遊技主体収納室における背壁の前面に着脱可能に取り付けられているので、遊技機枠の中でも形状の大きな遊技主体収納構造体の一部を意匠的に造形しなくとも、定形表示部材で遊技盤の機種を表現するように、定形表示部材を遊技盤の機種に適合したキャラクタを表す形に造形して遊技者に機種を適切に知らせというように、定形表示部材で空間を遊技の一要素として活用することができ、定形表示部材が遊技主体収納室の前面に着脱可能に取り付けられているので、遊技盤の機種が変更される場合、古い機種の遊技盤を遊技主体収納室から取り外した後に、古い定形表示部材を遊技主体収納室から取り外し、新しい機種の遊技盤に対応する新しい定形表示部材に交換して遊技主体収納室における背壁の前面に取り付け、新しい機種の遊技盤を遊技主体収納室に格納することができるという利点がある。半月状の画像表示不能な空間が遊技盤の発射通路周辺の上部に形成されれば、定形表示部材が遊技釘の比較的少ない部分に配置され、定形表示部材で表現される表示が見やすいという利点がある。定形表示部材が、遊技主体収納室における背壁の前面に取り付けられる表示基体と、表示基体の前面に着脱可能に取り付けられる造形体とを備えれば、交換する部材をより小さな形状とし、コストダウンを図ることができるという利点がある。
【発明を実施するための最良の形態】
【０００６】
図１−図８は、発明を実施するための最良の形態である。図１は、可動枠７５の正面を示す。図２は、遊技機枠７１の遊技盤１１０を格納した部分を縦に切断した内部を示す。図３は、定形表示部材２０を分解して示す。図４は、定形表示部材２０の正面を示す。図５は、定形表示部材２０が遊技主体収納構造体７８に取り付けられた部分縦に切断した内部を示す。図６は、可変表示器としての映写装置１の取り付けられた遊技機枠７１と遊技盤１１０との外観を示す。図７は、映写装置１の前側からの外観を示す。図８は、遊技機枠７１の外観を示す。
【０００７】
図１を参照し、パチンコ機における可動枠７５の前側の構造について説明する。遊技機枠７１における可動枠７５が可動枠本体７７から内部に延設された遊技主体収納構造体７８を備える。遊技主体収納構造体７８は、前側に方形に開放された遊技主体収納室９５と、遊技主体収納室９５の背壁に前後方向に貫通する中央開口部９６とを備える。遊技主体収納室９５は、方形な外形を有する遊技盤１１０を前側から格納する部分を構成する。中央開口部９６は、映写装置１の方形な外形を有する表示領域を構成するスクリーン５を裏側から格納する部分を構成する。遊技盤１１０は、遊技盤１１０の前面に、外ガイドレール１１６と内ガイドレール１１７との間の隙間としての発射通路１１５、外ガイドレール１１６と内ガイドレール１１７とで囲まれた発射通路１１５を除く円形な遊技領域１１２を備える。そして、遊技盤１１０が遊技主体収納室９５に装着され、円形な遊技領域１１２と方形な表示領域としてのスクリーン５とが前後で重なるように組み合わせられた場合、外ガイドレール１１６の上部が中央開口部９６の上縁よりも上方外側に配置され、当該外ガイドレール１１６の上部である上側に膨らむ円弧と中央開口部９６の上縁である直線とで囲まれた半月状の画像表示不能な空間１９が形成される。
【０００８】
この半月状の画像表示不能な空間１９を覆う定形表示部材２０が遊技主体収納室９５における背壁の前面に着脱可能に取り付けられる。よって、遊技機枠７１の中でも形状の大きな遊技主体収納構造体７８の一部を意匠的に造形しなくとも、定形表示部材２０が遊技盤１１０の機種を表現したキャラクタの造形として遊技者に機種を適切に知らせというように、定形表示部材２０で空間１９を遊技の一要素として活用することができるという利点がある。定形表示部材２０が遊技主体収納室９５における背壁の前面に着脱可能に取り付けられているので、遊技盤１１０の機種が変更される場合、古い機種の遊技盤１１０を遊技主体収納室９５から取り外した後に、古い定形表示部材２０を遊技主体収納室９５から取り外し、新しい機種の遊技盤１１０に対応する新しい定形表示部材２０に交換して遊技主体収納室９５の背壁の前面に取り付け、新しい機種の遊技盤１１０を遊技主体収納室９５に格納することができるという利点がある。半月状の画像表示不能な空間１９が遊技盤１１０の発射通路１１５の周辺の上部に形成されているので、定形表示部材２０が図３に示す遊技釘１３６の比較的少ない部分に配置され、定形表示部材２０で表現される表示が見やすいという利点がある。図１において、５２は、可動枠７５と図６に示す固定枠７２とを互いに開閉可能に連結するヒンジ、５３は、可動枠７５と図２に示すパネル枠８１とを互いに開閉可能に連結するヒンジ、５４は、可動枠７５と図２に示す球皿構造体８２とを互いに開閉可能に連結するヒンジである。
【０００９】
図２を参照し、パチンコ機における遊技機枠７１の遊技盤１１０を格納した部分を縦に切断した構造について説明する。可動枠７５の前側には、パネル枠８１および球皿構造体８２が配置される。パネル枠８１では、前後方向に開放された窓８３の裏面がガラスまたは合成樹脂からなる光透過性を有する前面パネル８４で被覆される。よって、パチンコ機の前側からパネル枠８１を見ると、窓８３から前面パネル８４を通して遊技盤１１０の遊技領域１１２の裏側にスクリーン５が重なる格好であって、窓８３の上部には半月状の画像表示不能な空間１９と遊技主体収納室９５の背壁との間に定形表示部材２０が配置された格好である。可動枠７５の裏側には、タンク１０８が配置される。
【００１０】
図３を参照し、定形表示部材２０の構造について説明する。定形表示部材２０は、合成樹脂から横長な帯板状の表示基体２１、表示基体２１の前面に配置されるレンズ体２２、レンズ体２２の周縁部を前側から覆い隠す造形体２３を備え、レンズ体２２の中央部から前側に横長な長円形な板状に突出したレンズ部２４が造形体２３の中央部に形成された嵌合孔２５に裏側から嵌め込まれ、造形体２３の裏面が表示基体２１の前面に接触するように、造形体２３が表示基体２１に装着され、レンズ体２２が表示基体２１の中央部に形成された貫通孔２６を塞ぐ。表示基体２１は、貫通孔２６の上縁と下縁とに、造形体２３を装着するための、上受孔２７、上受突起２８、下受孔２９、下受突起３０を備える。上受孔２７および上受突起２８は、対となって、造形体２３の上部を支持する部分である。上受孔２７が貫通孔２６から上方に窪むととともに前後に貫通する溝を構成する。上受突起２８が上受孔２７の上部の前側を塞ぐように表示基体２１の前面から前側に突出する。下受孔２９および下受突起３０は、対となって、造形体２３の下部を支持する部分である。下受孔２９が貫通孔２６から下方に窪むととともに前後に貫通する溝を構成する。下受突起３０が下受孔２９の下部の前側を塞ぐように表示基体２１の前面から前側に突出する。
【００１１】
表示基体２１の左右上部には、位置決め孔３１、取付孔３２、取手３３を備える。位置決め孔３１は、定形表示部材２０を図３に示す遊技主体収納構造体７８に取り付ける位置を決めるために、表示基体２１に前後方向に貫通する孔である。取付孔３２は、定形表示部材２０を遊技主体収納構造体７８に引っ掛けるために、表示基体２１に前後方向に貫通する孔である。取手３３は、定形表示部材２０を遊技主体収納構造体７８から取り外す場合に人が定形表示部材２０を持つために、表示基体２１の前面から前側に突出する。レンズ体２２のレンズ部２４は、裏面に光を収束させる凹凸を備える。レンズ体２２は、レンズ部２４の周縁から外側に突出した板状のフランジ３５を備える。フランジ３５は、表示基体２１の貫通孔２６を全体的に塞ぐ大きさである。フランジ３５の左右下部には、前後方向に貫通する位置決め孔３６を備える。造形体２３は、遊技盤１１０の機種に適合したキャラクタを表す形であって、遊技盤１１０遊技盤の機種を表現するようになっている。造形体２３の上縁部３７は、図１に示す外ガイドレール１１６に整合する円弧に形成される。造形体２３の左右方向の中央には、上係合部３８および下係合部３９が設けられる。上係合部３８は、造形体２３の上縁部から裏側に突出する横突起の後端部から縦突起を上方に突出した形態である。下係合部３９は、造形体２３の左右に直線的に延びた下縁部から裏側に突出する横突起の後端部から縦突起を下方に突出した形態である。造形体２３の上縁部の左右端から下縁部に連なる連接縁部の下部には、レンズ体２２のフランジ３５で塞がれる補助照明孔４０が設けられる。造形体２３の裏面には、レンズ体２２の位置決め孔３６に嵌め込まれる左右の位置決め突起４１が、裏側に突出する。
【００１２】
定形表示部材２０の組立方について説明する。レンズ体２２のレンズ部２４が造形体２３の裏側から嵌合孔２５に嵌め込まれて嵌合孔２５を塞ぐのに伴い、造形体２３の位置決め突起４１とレンズ体２２の位置決め孔３１とが互いに嵌り合うことによって、レンズ体２２のフランジ３５が造形体２３の補助照明孔４０を塞ぐ。その状態のまま、造形体２３の上係合部３８が表示基体２１の前側から上受孔２７を経由し、上係合部３８の縦突起が上受突起２８を裏側に越えて、上係合部３８の横突起が上受突起２８の下面に接触することによって、上係合部３８の縦突起の前面が上受突起２８の裏面と前後方向に対向し、造形体２３の下係合部３９が表示基体２１の前側から下受孔２９を経由し、下係合部３９の縦突起が下受突起３０を裏側に越えて、下係合部３９の横突起が下受突起３０の下面に接触することによって、下係合部３９の縦突起の前面が下受突起３０の裏面と前後方向に対向することによって、レンズ体２２が造形体２３と表示基体２１との間に配置され、造形体２３が表示基体２１の貫通孔２６を塞いで表示基体２１の前面に装着される。このように、表示基体２１、レンズ体２２、造形体２３が組み合わされることによって、定形表示部材２０が図４に示す形態に組み立てられる。
【００１３】
図５を参照し、定形表示部材２０が遊技主体収納構造体７８に取り付けられる部分の構造について説明する。遊技主体収納構造体７８における遊技主体収納室９５を区画する前面には、掛部４２および位置決め突起４３が設けられる。掛部４２は、定形表示部材２０の取付孔３２を嵌め込むものであって、遊技主体収納構造体７８の前面から前側に突出する横突起の前端部から上方に突出した縦突起を備える。位置決め突起４３は、表示基体２１の位置決め孔３１を嵌め込むものであって、掛部４２の縦突起の裏面から裏側に突出する。そして、前記のように組み立てられた定形表示部材２０における表示基体２１の裏面が遊技主体収納構造体７８の前面に向けられ、定形表示部材２０の取付孔３２が掛部４２に嵌め込まれ、定形表示部材２０の位置決め孔３１と遊技主体収納構造体７８の位置決め突起４３とが互いに嵌め込まれ、定形表示部材２０における取付孔３２の上縁部の裏面が掛部４２における縦突起の前面と前後方向に対向することによって、定形表示部材２０が遊技主体収納構造体７８の前面に接触して取り付けられる。つまり、定形表示部材２０が、遊技主体収納室９５における背壁の前面に取り付けられる表示基体２１と、表示基体２１の前面に着脱可能に取り付けられる造形体２３とを備えているので、交換する部材をより小さな形状とし、コストダウンを図ることができるという利点がある。
【００１４】
遊技主体収納構造体７８における定形表示部材２０の貫通孔２６と対向する部分には、透孔４４が設けられる。遊技主体収納構造体７８の裏面に取り付けられたタンク１０８における前板４５の下部には、前後方向に貫通する筒状のランプ室４６が設けられる。ランプ室４６は、透孔４４に連通する。ランプ室４６には、表示灯基板４７に設けられたＬＥＤからなる表示灯４８が配置される。表示灯４８がランプ室４６の裏側からランプ室４６に挿入され、表示灯基板４７がランプ室４６を塞ぎ、タッッピングスクリューのような止ねじ４９が表示灯基板４７を貫通してランプ室４６を囲む隔壁５０に締結されることによって、表示灯４８および表示灯基板４７が遊技主体収納構造体７８の裏面に設けられる。そして、表示灯４８が電力供給で発光すると、その光がランプ室４６から透孔４４および貫通孔２６を経由してレンズ体２２を照射し、レンズ体２２が照明表示する。定形表示部材２０が表示基体２１とレンズ体２２と造形体２３とを備え、定形表示部材２０の裏側から表示灯４８でレンズ体２２を照明表示するので、定形表示部材２０による表現をライトアップして向上することができるという利点がある。
【００１５】
図７を参照し、パチンコ機における映写装置１の前側の構造について説明する。映写装置１は、遮光性合成樹脂からなる前側に開口した箱形の装置筐体２に、投影機３、反射鏡４、スクリーン５を組み付けた、ユニットと呼ばれる単一集合構造体として形成される。装置筐体２の周縁には、装置取付部６が設けられる。装置取付部６は、映写装置１を、図８に示す遊技機枠７１の可動枠７５の裏面に、取り付けるための部分である。投影機３は、投影機筐体の下部にＬＥＤのような投影光源７を内蔵し、投影機筐体の上下方向中間部に液晶表示器８を内蔵し、投影機筐体の上部に投影レンズ９を焦点調整可能に備え、投影機筐体の外側に、モータで駆動されるシロコタイプのブロワーファンのような空冷機１０と、液晶表示器８の投影機制御回路１４７とを備える。空冷機１０は、投影機筐体の内部を空気で冷却する機器である。
【００１６】
反射鏡４は、装置筐体２の上内部に前傾姿勢で取り付けられる。投影機３の投影レンズ９が上方で、投影機３の投影光源７が下方となるように、投影機３が装置筐体２の下内部に取り付けられる。投影機３が装置筐体２に取り付けられた後、遮光性合成樹脂よりなる前被覆体１１が、投影機３の前側を被覆する格好で、装置筐体２の下前部にタッピングスクリューのような止ねじ１２で取り付けられる。スクリーン５が反射鏡４の取り付けられた部分における装置筐体２の前側開口を覆うように、装置筐体２の周壁１３の前面に、前側から重ね合わされて接触して搭載される。そして、左右のスクリーン支持体１４が装置筐体２にタッピングスクリューのような止ねじ１５で取り付けられることによって、スクリーン５が左右のスクリーン支持体１４で装置筐体２の前面に取り付けられる。
【００１７】
このように、投影機３、反射鏡４、スクリーン５が、装置筐体２に取り付けられた形態において、投影レンズ９の焦点調整が行われる。それには、投影機３の液晶表示器８に直流電源を供給してテスト画像を表示し、投影機３の投影光源７に交流電源を供給する。これによって、投影機３の投影光源７が光を画像の表示されている液晶表示器８に照射し、その投影光が投影機３の投影レンズ９で拡大され、その拡大された投影光が反射鏡４で前側に反射してスクリーン５に上記液晶表示器８で表示されたテスト画像を拡大して映写する。その状態において、例えば、作業者が、手を、前被覆体１１の前側から前被覆体１１の焦点調整作業開口１６を経由して装置筐体２の内部に入れて、投影機３の投影レンズ９を回転操作し、上記スクリーン５に映し出されたテスト画像が焦点の合わされた態様となるように、作業者が焦点調整を行う。その後、遮光性合成樹脂からなる蓋体１７が焦点調整作業開口１６を閉鎖するように前被覆体１１に取り付けられる。これによって、箱形の装置筐体２に投影機３と反射鏡４とスクリーン５とを組み付けた単一集合構造体に形成された映写装置１が、図７に示す格好に構成される。装置筐体２の裏面には、図６に示す電源装置１４５、投影機駆動回路１４６、主制御装置１４８、図外の複合制御装置、図柄制御装置１５０が取り付けられる。
【００１８】
図８を参照し、図７に示す映写装置１の取り付けられる遊技機枠７１の構造について説明する。遊技機枠７１は、パチンコ店の図外の遊技設置構造体に取り付けるための外枠と呼ばれるような固定枠７２を備える。固定枠７２は前後方向に開放された縦長な長方形の空間を囲む額縁形状である。固定枠７２の下部前面に設けられた幕板部７３には、低音用のスピーカーの低音を幕板部７３の裏側から前側に放出する放音孔部７４が左右に設けられる。放音孔部７４の裏面にはスピーカーが個別に取り付けられる。固定枠７２には、前枠または中枠と呼ばれるような可動枠７５が左側のヒンジ７６で前側横方向に片開き可能にかつ着脱可能（交換可能）に取り付けられる。可動枠７５は、前後方向に開放された縦長な長方形の空間を囲む額縁形状の合成樹脂からなる可動枠本体７７と、可動枠本体７７から内部に延設された合成樹脂からなる遊技主体収納構造体７８とを備える。可動枠７５が閉じられた場合、図外のロック機構によって、開閉不能に固定枠７２に支持される。可動枠本体７７には、パネル枠８１および球皿構造体８２が左側に設けられる図外のヒンジで前側横方向に片開き可能に取り付けられる。パネル枠８１は前後方向に開放された窓８３を囲む額縁形状である。パネル枠８１の裏面には、ガラスまたは合成樹脂からなる光透過性を有する前面パネル８４が窓８３を覆う格好で取り付けられる。パネル枠８１の裏面上部には、中・高音用の図外のスピーカーが左右に取り付けられる。このスピーカーの設けられるパネル枠８１の部分には、スピーカーの中・高音をパネル枠８１の裏側から前側に放出する図外の放音孔部が設けられる。
【００１９】
パネル枠８１が閉じられた場合、図外のロック機構によって、開閉不能に、可動枠本体７７に支持される。球皿構造体８２が閉じられた場合、ロック機構によって、開閉不能に、可動枠本体７７に支持される。可動枠本体７７の右縦片には施錠装置８６が設けられる。可動枠７５やパネル枠８１および球皿構造体８２が閉じられてロック機構で開閉不能に支持された状態において、遊技店の店員が図外のキープレート（鍵）を遊技機枠７１の前側から施錠装置８６の鍵穴８７に挿入し、当該キープレートを例えば右側に９０度回転操作すると、固定枠７２と可動枠７５とのロック機構による支持形態が解除される。この支持形態の解除後に、店員が可動枠７５を前側に引くことによって、可動枠７５はヒンジ７６を回転中心として前側に片開きされる。また、上記施錠装置８６の鍵穴８７に挿入されたキープレートが例えば左側に９０度回転操作されると、可動枠７５とパネル枠８１とのロック機構による支持形態が解除される。この支持形態の解除後に、店員がパネル枠８１を前側に引くことによって、パネル枠８１は前記図外のヒンジを中心として前側に片開きされる。このように、パネル枠８１が前側に開かれた状態において、店員が可動枠７５の前面に設けられたロック解除操作体８９を操作すると、可動枠７５と球皿構造体８２とのロック機構による支持形態が解除される。この支持形態の解除後に、店員が球皿構造体８２を前側に引くことによって、球皿構造体８２は前記図外のヒンジを中心として前側に片開きされる。球皿構造体８２の前面には、球収納部９０と発射操作機構９１とを備える。球収納部９０は、遊技に使用する球を受ける上方に開放された形態である。球皿構造体８２の裏面には、球を球収納部９０に供給する球取入口９２と、球収納部９０から発射機構１０３に球を供給する球供給口９３とを備える。
【００２０】
遊技主体収納構造体７８は、前側に開放された遊技主体収納室９５と、遊技主体収納室９５の背壁で前後方向に貫通する中央開口部９６とを備える。遊技主体収納室９５の左側部には、遊技盤１１０を裏側から前側に押圧する板ばねにより構成された遊技主体押圧部９７と、遊技主体押圧部９７で前側に押された遊技盤１１０を前側から受け止める遊技主体受部９８とを備える。遊技主体収納室９５の右側部には、遊技主体ロック部材９９を備える。遊技主体ロック部材９９は、遊技主体収納構造体７８から前側に突出する円筒状の台座の中心にロック操作部１００を回転可能に備える。ロック操作部１００は、台座から前側に突出した操作軸の端部に固定された横長な形態である。遊技主体収納構造体７８における遊技主体収納室９５よりも下部における前面には、遊技主体棚１０１を備える。
【００２１】
遊技主体棚１０１の前面には、発射機構１０３、発射レール１０４、ファール球取入口部１０５、前横樋１０６を備える。発射レール１０４は、球皿構造体８２の球供給口９３から供給された１個の球を受け取る。発射機構１０３は、電力供給と遮断とを交互に受けることによって、球収納部９０から発射レール１０４に供給された１個の球を図６に示す遊技盤１１０の遊技領域１１２に向けて発射する。発射レール１０４は、発射機構１０３から発射された球を、遊技盤１１０における発射通路１１５の入口に誘導する。ファール球取入口部１０５は、遊技盤１１０の発射通路１１５から落下する球を取り込む。ファール球取入口部１０５に取り込まれた球は、前横樋１０６を経由して球取入口９２に排出される。前横樋１０６は、可動枠７５の裏部に取り付けられた払出機構１０７から払い出された球を球取入口９２に排出する。可動枠７５の裏部には、タンク１０８を備える。タンク１０８は、遊技設置構造体の補給系統から供給された球を貯蔵し、貯蔵した球を払出機構１０７の球払出動作に伴い払出機構１０７に供給する部品である。
【００２２】
図６を参照し、映写装置１が遊技機枠７１に組み付けられた構造、遊技機枠７１に交換可能に取り付けられる遊技主体としての遊技盤１１０の構造について説明する。映写装置１が遊技機枠７１に組み付けられる場合、映写装置１におけるスクリーン支持体１４とスクリーン５と前被覆体１１とが可動枠７５の裏側から中央開口部９６に収納され、スクリーン支持体１４の前面が遊技主体収納室９５の裏壁の前面と同一面内に位置される。そして、映写装置１の図７に示す装置取付部６が可動枠７５の裏側から可動枠７５の遊技主体収納構造体７８の裏面に取り付けられることによって、映写装置１が可動枠７５に取り付けられる。
【００２３】
遊技盤１１０は、非遊技領域１１２を形成する遮光性合成樹脂からなる周辺飾り構造体１１１と、周辺飾り構造体１１１で囲まれた内側の遊技領域１１２を形成する光透過性合成樹脂からなる板状構造体１１３とを備える。周辺飾り構造体１１１は、遊技主体収納室９５に格納される方形板状の中央に、前後方向に貫通する丸形開口部１１４と、丸形開口部１１４の左側部に前側開放縦溝形状の発射通路１１５とを備える。発射通路１１５の左側面と当該左側面から右側に弧状に延長する丸形開口部１１４の上部弧状側面とには、ステンレスのような金属帯板状の外ガイドレール１１６が一連に付設される。発射通路１１５の右側面および当該右側面から右側に弧状に延長する丸形開口部１１４の下部弧状側面は、発射通路１１５の縦形の底部と丸形開口部１１４より前方に突出する内ガイドレール１１７を形成する。内ガイドレール１１７における下部弧状側面の最下部には、アウト口１１８を囲むとともに球を遊技盤１１０の前側から裏側に排出するハートと呼ばれるアウト口部１１９が、内ガイドレール１１７から内側に突出した格好に連接される。内ガイドレール１１７およびアウト口部１１９は、周辺飾り構造体１１１と一緒に合成樹脂により形成される。よって、発射通路１１５以外における外ガイドレール１１６と内ガイドレール１１７とが遊技領域１１２を囲む丸形開口部１１４である。アウト口部１１９は、遊技領域１１２の最下部に配置される。発射通路１１５は、発射機構１０３から発射された球を遊技領域１１２に案内する通路である。
【００２４】
発射機構１０３から発射された球を発射通路１１５から遊技領域１１２に放出する発射通路１１５の出口には、戻り球防止弁１２０が設けられる。戻り球防止弁１２０の取付部は、内ガイドレール１１７の端部に沿うように、周辺飾り構造体１１１に取り付けられる。戻り球防止弁１２０は、外ガイドレール１１６や内ガイドレール１１７よりも厚さの薄い薄帯板状のステンレスまたは合成樹脂により形成される板ばねである。戻り球防止弁１２０が周辺飾り構造体１１１に取り付けられた場合、戻り球防止弁１２０は、取付部の存在する基部から外ガイドレール１１６の側に位置する先端部に行くに従って、発射通路１１５の出口から遊技領域１１２の側に徐々に傾斜する格好になる。戻り球防止弁１２０の先端は、外ガイドレール１１６の遊技領域１１２の側に位置する内側面に接触するかまたは接触する程度に近づいていればよい。この接触する程度は、戻り球防止弁１２０の先端と外ガイドレール１１６の内側面との間に１個の球の直径よりも小さい隙間が存在し、遊技領域１１２から外ガイドレール１１６の内側面に沿って発射通路１１５の側に逆行する球が上記戻り球防止弁１２０の先端と外ガイドレール１１６の内側面との間に引っかかることなく通過することもできない範囲であればよい。
【００２５】
そして、発射機構１０３から発射された球が発射通路１１５から戻り球防止弁１２０を押し開けることによって、戻り球防止弁１２０の先端部が外ガイドレール１１６から離れるように、戻り球防止弁１２０の取付部を基準として、戻り球防止弁１２０が全体的に遊技領域１１２の側に弾性変形する。そして、戻り球防止弁１２０を押し開けた球が戻り球防止弁１２０から遊技領域１１２の側に離れることによって、戻り球防止弁１２０の先端部が外ガイドレール１１６に近づくように、戻り球防止弁１２０が全体的に図６に示す形態に復元する。このように戻り球防止弁１２０が復元した形態において、発射通路１１５から遊技領域１１２に発射された球が遊技領域１１２から発射通路１１５の側に逆行してきた場合、当該球が戻り球防止弁１２０に衝突し、戻り球防止弁１２０が当該球を遊技領域１１２から発射通路１１５に取り込まれることを防止して遊技領域１１２に跳ね返す。
【００２６】
周辺飾り構造体１１１の下縁部には不正防止ガイドレール１２２が直線的に取り付けられる。不正防止ガイドレール１２２は、弾性の有る合成樹脂で形成されたものであって、パネル枠８１が閉じられることによって、不正防止ガイドレール１２２が前面パネル８４の内側面（遊技盤１１０の側に位置する面）に接触し、遊技者がピアノ線や合成樹脂製薄帯板などの不正操作部材を遊技領域１１２よりも下方の遊技機枠７１の前側から遊技機枠７１の前面構成部材間の隙間を経由して遊技領域１１２に挿入しようとした場合、パネルの内側面に接触した不正防止ガイドレール１２２が不正操作部材を受け止めて不正操作部材の遊技領域１１２への侵入を防止する。
【００２７】
周辺飾り構造体１１１の右側の上下部には、遊技盤１１０を遊技機枠７１に固定するための取付部１２３が設けられる。取付部１２３は、遊技主体収納室９５に設けられた遊技主体ロック部材９９と係合するロック挿入孔１２４を備える。周辺飾り構造体１１１の右側の下部には、証紙台１２６が、前後方向に開閉可能に設けられる。証紙台１２６が図６に示すように、周辺飾り構造体１１１との連結部である図外のヒンジを回転中心として前方に開かれることによって、下部の取付部１２３が右周辺飾り構造体１１１の前側から見える格好となる。そして、証紙台１２６が上記ヒンジを回転中心として後方に閉じられ、証紙台１２６が証紙台受部１２７で受け止められることによって、取付部１２３が証紙台１２６で覆われて周辺飾り構造体１１１の前側から見えなくなる。閉じられた証紙台１２６の前面には、遊技盤１１０が検査に合格して販売の認可を受けたことを示すための図外の証紙が、貼り付けられる。遊技領域１１２を形成する光透過性合成樹脂からなる板状構造体１１３には、センター飾り１３１、一般入賞部品１３２、作動入賞部品１３３、始動入賞部品１３４、可変入賞部品１３５、遊技釘１３６などの遊技部品が、周辺飾り構造体１１１の発射通路１１５を除く丸形開口部１１４で囲まれた光透過性を有する遊技領域１１２に取り付けられる。
【００２８】
遊技盤１１０は、映写装置１を備えた遊技機枠７１に次のように装着される。少なくとも、パネル枠８１が開けられた状態において、遊技盤１１０の遊技領域１１２が前側に向けられ、遊技盤１１０が遊技機枠７１の前側から遊技主体収納室９５に挿入され、遊技盤１１０の下部が遊技主体棚１０１の上に載せられ、遊技盤１１０の左側部が遊技主体受部９８と遊技主体押圧部９７とで前後方向から挟まれた後、遊技盤１１０の右側部が後側に押され、遊技主体ロック部材９９のロック操作部１００が取付部１２３のロック挿入孔１２４に後側から挿入されて前側に突出した状態において、作業者がロック操作部１００を例えば右方向に９０度回転操作すると、ロック操作部１００がロック挿入孔１２４の周りにおける取付部１２３と係合し、遊技盤１１０が可動枠７５の前部である遊技主体収納室９５に取り付けられる。
【００２９】
これによって、遊技盤１１０の光透過性合成樹脂からなる板状構造体１１３が映写装置１のスクリーン５の前側に非接触に配置される。そして、遊技盤１１０の板状構造体１１３から前側に突出したセンター飾り１３１と一般入賞部品１３２と作動入賞部品１３３と始動入賞部品１３４と可変入賞部品１３５および遊技釘１３６などの遊技部品がスクリーン５の前側に配置され、遊技盤１１０の丸形開口部１１４がスクリーン５の前側に対向して配置される。このように遊技盤１１０が装着された後、パネル枠８１が閉じられることによって、遊技領域１１２および発射通路１１５が窓８３と対応し、人が、パチンコ機を前側から見た場合、前面パネル８４を通して遊技領域１１２および発射通路１１５を見ることができる。
【００３０】
遊技盤１１０が可動枠７５に装着され、可動枠５７とパネル枠８１および球皿構造体８２が閉じられ、電源装置１４５、投影機駆動回路１４６、主制御装置１４８、図外の複合制御装置、図柄制御装置１５０が電気的に起動し、球が球収納部９０に入れられ、遊技者が発射操作機構９１を操作すると、発射機構１０３が球収納部９０から供給された球を１個ずつ発射操作機構９１の操作量に応じた発射力で遊技盤１１０の遊技領域１１２に発射する。遊技領域１１２に発射された球は、センター飾り１３１や遊技釘１３６で流れを変えられるとともに、一般入賞部品１３２と作動入賞部品１３３および始動入賞部品１３４の何れかに入賞する。また、始動入賞部品１３４への入賞の結果として可変入賞部品１３５の開閉体１３８が開閉し、この開閉体１３８の開放中において、遊技領域１１２から球が可変入賞部品１３５に入賞する。これらの入賞の結果として、払出機構１０７が遊技機枠７１の裏側から遊技機枠７１の前側の球収納部９０に賞球としての球を払い出す。
【００３１】
そして、投影機３の液晶表示器８が電気的に画像を表示し、投影機３の投影光源７が電気的に光を画像の表示されている液晶表示器８に照射し、その投影光が投影機３の投影レンズ９で拡大され、その拡大された投影光が反射鏡４で前側に反射してスクリーン５の全域に上記液晶表示器８で表示された画像を拡大して映写し、遊技機枠７１の前側から遊技者がスクリーン５に映し出された画像を閉じられたパネル枠８１の前面パネル８４と遊技盤１１０の丸形開口部１１４および光透過性合成樹脂からなる板状構造体１１３を通して見ることができる。これによって、遊技者は、スクリーン５に映し出された画像を遊技領域１１２の全域に見ながら遊技領域１１２に行き交う球の動きとを見ることができる。
【産業上の利用可能性】
【００３２】
可変表示器としての映写装置１を、液晶表示器やプラズマディスプレイなど、電気的に表示形態の変えられる画像を方形な表示画面を構成する表示領域に表示する表示器に置換しても同様に適用することができる。定形表示部材２０は、表面にキャラクタや文字などを印刷し、接着剤で貼付する、所謂、シールでもよい。
【図面の簡単な説明】
【００３３】
【図１】可動枠を示す正面図（最良の形態）。
【図２】遊技機枠の遊技盤を格納した部分を示す縦断面図（最良の形態）。
【図３】定形表示部材を示す分解斜視図（最良の形態）。
【図４】定形表示部材を示す正面図（最良の形態）。
【図５】定形表示部材を取り付けた遊技主体収納構造体を示す縦断面図（最良の形態）。
【図６】映写装置と遊技機枠と遊技盤とを示す斜視図（最良の形態）。
【図７】映写装置を前側から示す斜視図（最良の形態）。
【図８】遊技機枠を示す斜視図（最良の形態）。
【符号の説明】
【００３４】
１      映写装置
５      スクリーン
１９    空間
２０    定形表示部材
２１    表示基体
２２    レンズ体
２３    造形体
７１    遊技機枠
７８    遊技主体収納構造体
９５    遊技主体収納室
１１２  遊技領域
【図１】
2006014814.tif 000003
【図２】
2006014814.tif 000004
【図３】
2006014814.tif 000005
【図４】
2006014814.tif 000006
【図５】
2006014814.tif 000007
【図６】
2006014814.tif 000008
【図７】
2006014814.tif 000009
【図８】
2006014814.tif 000010